【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
空気ばね組立体において、
第一の側、対向する第二の側及びそれを貫いて延びる継手経路を含む第一端部材と；
前記第一端部材と離間し、前記第一端部材の第一側と対向する関係にあり、前記第一端部材との間に長手方向軸線を形成する第二端部材と；
前記第一と第二の端部材の間に固定され、前記第一端部材の第一側と前記第二端部材の間にばね室を少なくとも部分的に画定する可撓壁と；
前記ばね室と連通する関連する流体ラインを保持するよう構成されたコネクタ継手であって、前記継手経路に沿って前記第一端部材上に支持されるコネクタ継手と
を具え、
前記コネクタ継手は、
支持面と本体壁を含む継手本体であって、前記本体壁は本体経路を少なくとも部分的に画定し、前記継手本体は前記流体経路内に少なくとも部分的に受け入れられて前記支持面が前記第一端部材の少なくとも一部と係合する継手本体；
前記本体経路内に受け入れられ関連する流体ラインの関連する外面に係合するよう適合された保持カラー；
前記保持カラーに隣接して前記本体経路内に受け入れられ、関連する流体ラインの関連する内面に係合するよう適合された内側支持スリーブ；
前記継手本体と前記第一端部構材の間に圧縮状態で配置された第一封止部材；
前記本体経路内に配置されており、前記継手本体と関連する流体ラインの関連する外面の間に圧縮状態で配置された第二封止部材；及び
前記継手本体から延び、第一の端部を前記継手本体に向けて配置し、対向する第二の端部を前記第一端部から長手方向に離間させた、互いに円周方向に離間した第一及び第二の細長の保持部材であって、弾性変形可能であり、前記第一端部を係合させて前記コネクタ継手をその上に保持するよう適合された保持部材；
を含むことを特徴とする空気ばね組立体。
【請求項２】
前記第一及び第二の端部材は、少なくとも部分的に前記ばね室内に配置されるように前記第一端部材に固定された継手筺体を含み、
前記継手筺体は、
前記第一端部材の第一側と当接係合するよう配置された第一の端壁と、
前記第一端壁と略反対に配置され、前記第二端部材に対向する第二の端壁と、
前記第一端部材を貫いて延びる開口内に少なくとも部分的に受け入れられる第一の外壁と、
前記継手筺体を貫いて延びる前記継手経路を少なくとも部分的に画定する第一の内壁と
を含み、
前記継手本体は、前記継手経路内に受け入れられ、前記フランジが前記継手筺体と当接係合し、前記第一封止部材は前記継手本体と前記継手筺体の第一内壁との間に圧縮状態で配置される、請求項１に記載の空気ばね組立体。
【請求項３】
前記第一及び第二保持部材は、前記第二端部に沿って配置された外側延在突起を含み、前記突起は、前記継手筺体の第二端壁と係合し、その上に前記コネクタ継手を保持する、請求項２に記載の空気ばね組立体。
【請求項４】
前記継手本体は、対向する第一及び第二の端部の間に延び、かつ、第一の横断面寸法を有する、前記第一端部に向かう第一の長手方向延在体部と、前記第一の横断面寸法よりも小さな第二の横断面寸法を有する、前記第二端部に向かう第二の長手方向延在本体部を含む、請求項１に記載の空気ばね組立体。
【請求項５】
前記第一端部材は、前記継手経路を少なくとも部分的に画定する経路壁を含み、前記経路壁は、前記第一横断面寸法と相補的な第一壁部を含み、かつ、前記継手本体の第一長手方向延在本体部を受け入れるよう構成されており、前記経路壁は、前記第二横断面寸法と相補的な第二壁部を含み、かつ、前記継手本体の第一長手方向延在本体部を受け入れるよう構成されている、請求項４に記載の空気ばね組立体。
【請求項６】
空気ばね組立体において、
第一の側、対向する第二の側及びそれを貫いて延びる開口を含む第一端部材と；
前記第一端部材と離間し、前記第一端部材の第一側と対向する関係にあり、前記第一端部材との間に長手方向軸線を形成する第二端部材と；
前記第一と第二の端部材の間に固定され、前記第一端部材の第一側と前記第二端部材の間にばね室を少なくとも部分的に画定する可撓壁と；
前記開口内に少なくとも部分的に受け入れられ、前記ばね室と流体連通するコネクタ継手と；
前記コネクタ継手と前記第一端部材の間に封止的に配設された封止部材と
を具え、
前記コネクタ継手は、
対向する第一及び第二の端部の間で長手方向に延びる継手本体；
前記継手本体に対して半径方向外側に離間した関係で前記継手本体沿って延び、前記継手本体との間に隙間を形成する第一及び第二の細長の保持部材であって、前記第一及び第二保持部材は、固定端部と対向する自由端部を有し、前記固定端部は前記第一端部に向かって前記継手本体に操作可能に接続され、前記自由端部は前記継手本体に向かって弾性変形可能であり、前記第一端部材と相互係合するよう構成された半径方向外側に延びる突起を含む保持部材；及び
前記継手本体、第一保持部材及び第二保持部材の少なくとも一つに形成された半径方向外側フランジ部であって、前記第一及び第二保持部材の前記固定端部と自由端部の間の長手方向中間点に配置されており、前記コネクタ継手の長手方向延在保持部が前記フランジ部と前記突起との間に形成されており、前記コネクタ継手の長手方向延在保持部が前記フランジ部と前記突起との間に形成されており、前記コネクタ継手の外側部が、前記係合本体部の第一端部に向かって前記フランジ部の長手方向外側に形成される保持部材；
を含み、
前記コネクタ継手は、前記保持部が前記第一端部材の第一及び第二側部の間に少なくとも部分的に配置されるように、前記第一端部材と相互係合して、前記外側部は、半径方向内向きの力が前記外側部に沿って前記第一及び第二保持部材に加えられて、前記自由端部を半径方向内側に動かし、前記コネクタ継手を前記第一端部材から選択的に取り外すように、前記ばね室に対向する前記第一端部材の外側に配置される
ことを特徴とする空気ばね組立体。
【請求項７】
前記第一及び第二保持部材の自由端部は前記継手本体部の第二端部から長手方向内側に離間しており、前記継手本体の第二端部に沿った第一部は、前記フランジ部の略反対の方向に前記自由端部を越えて長手方向外側に延びており、前記封止部材は前記継手本体の第一部に沿って配置される、請求項６に記載の空気ばね組立体。
【請求項８】
前記第一端部材及び前記継手本体の第一部の一方が前記封止部材を受け入れる適合された溝を含む、請求項７に記載の空気ばね組立体。
【請求項９】
前記継手本体は、第一の横断面寸法を有し、前記第一端部に向かう第一の長手方向延在部と、前記第一横断面寸法より小さい第二の横断面寸法を有し、前記第二端部に向かう第二の長手方向延在部を含む、請求項７に記載の空気ばね組立体。
【請求項１０】
前記第一端部材は、前記第一端部材を貫いて延びる前記開口を少なくとも部分的に画定する開口壁を含み、前記開口壁は、第一の壁部と、前記第一壁部から前記第一端部材の第一側に向かって長手方向内側に配置された第二の壁部とを含み、前記第一壁部は、前記継手本体の前記第一横断面寸法と相補的な第一の横断面寸法を有する前記開口の第一断面を少なくとも部分的に画定し、前記第二壁部は、前記継手本体の前記第二横断面寸法と相補的な第二の横断面寸法を有する前記開口の第二断面を少なくとも部分的に画定する、請求項９に記載の空気ばね組立体。
【請求項１１】
前記第一端部材は、その上に支持された継手筺体を含み、前記継手筺体は前記第一側、前記対向する第二側及び前記第一端部材を貫いて延びる前記開口の少なくとも一部を含み、前記コネクタ継手は前記第一端部材の継手筺体と相互係合する、請求項６に記載の空気ばね組立体。
【請求項１２】
前記継手筺体は、前記継手筺体が少なくとも部分的に前記ばね室内に配置されるように、前記第一端部材の前記第一側に少なくとも部分的に固定される、請求項１１に記載の空気ばね組立体。
【請求項１３】
前記封止部材は第一封止部材であり、前記継手本体は、前記継手本体を貫いて形成される継手経路を少なくとも部分的に画定する内壁を含み、前記コネクタ継手は、
前記継手経路内に受け入れられ関連する流体ラインの関連する外面に係合するよう適合された保持カラー；
前記保持カラーに隣接して前記継手経路内に受け入れられ、関連する流体ラインの関連する内面に係合するよう適合された内側支持スリーブ；及び
前記継手経路内に配置されており、前記継手本体と関連する流体ラインの関連する外面の間に圧縮状態で配置された第二封止部材
をさらに含む、請求項６に記載の空気ばね組立体。
【請求項１４】
少なくとも前記コネクタ継手の長手方向延在保持部は、前記継手本体の少なくとも一部を有する概ね円形の断面形状を有し、前記第一保持部材及び前記第二保持部材は、前記概ね円形の断面形状を画定し、前記継手本体は、前記第一及び第二保持部材に隣接し長手方向に沿って延びる第一及び第二の平面を含み、前記第一及び第二平面は、前記継手本体と前記第一及び第二保持部材の間に前記隙間を少なくとも部分的に画定する、請求項６に記載の空気ばね組立体。
【請求項１５】
第一の側、対向する第二の側及びそれを貫いて延びる実質的に滑らかな壁の流体経路を含む第一端部材と；
前記第一端部材と離間した関係及び前記第一側に対して対向する関係に配置され、それらの長手方向軸線が形成される第二端部材と；
前記第一及び第二端部材の間に固定され、前記第一端部材の第一側と前記第二端部材との間にばね室を少なくとも部分的に画定する可撓壁と；
前記開口内に少なくとも部分的に受け入れられ、前記ばね室と流体連通するコネクタ継手
を具え、前記コネクタ継手は、
対向する第一及び第二の端部間で長手方向に延びる継手本体；
前記継手本体から前記継手本体沿って延びる第一及び第二の細長の保持部材であって、前記第一及び第二保持部材は、固定端部と対向する自由端部を有し、前記固定端部は前記継手本体に操作可能に接続され、前記自由端部は前記継手本体に向かって弾性変形可能であり、前記第一端部材と相互係合するよう構成された半径方向外側に延びる突起を含み、前記自由端部は、前記継手本体の前記第二端部から長手方向内側に離間しており、前記継手本体の一部が、前記第二端に沿って、前記自由端部を越えて長手方向外側に延びる保持部材；
前記継手本体に形成され、前記第一及び第二保持部材の前記自由端部に対して長手方向に離間した関係で配置された半径方向外側延在フランジ部であって、前記コネクタ継手の長手方向延在保持部が前記フランジ部と前記突起の間に形成されるフランジ部；及び
前記コネクタ継手と前記前記第一端部材の配置された封止部材であって、前記第一及び第二保持部材の前記自由端部に対して長手方向に離間した関係で配置されている封止部材
を含むことを特徴とする空気ばね組立体。
【請求項１６】
前記第一端部材は、前記第一端部材を貫いて延びる前記開口を少なくとも部分的に画定する開口壁を含み、前記開口壁は、第一の壁部と、前記第一壁部から前記第一端部材の第一側に向かって長手方向内側に配置された第二の壁部とを含み、前記第一壁部は、前記第一端部材上で前記コネクタ継手を受け入れて相互係合し、前記第二壁部は前記コネクタ継手の前記第二端部を受け入れて封止係合する、請求項１５に記載の空気ばね組立体。
【請求項１７】
前記第一壁部は、第一の横断面寸法を有する前記開口の第一部分を少なくとも部分的に画定する前記開口の第一部分と、第二の横断面寸法を有する前記開口の第二部分を少なくとも部分的に画定する前記開口の第二部分を含み、前記第一横断面寸法が前記第二横断面寸法より大きい、請求項１６に記載の空気ばね組立体。
【請求項１８】
前記継手本体の第一端部は、前記開口の第一部分の前記第一横断面寸法と相補的な第一横断面寸法を有し、前記継手本体の第二端部は、前記継手筺体の前記第一横断面寸法よりも小さく、かつ、前記開口の第二部分の前記第二横断面寸法と相補的な第二横断面寸法を有する、請求項１７に記載の空気ばね組立体。
【請求項１９】
前記開口壁は、前記第一及び第二壁部の間の前記第一端部材内に形成される半径方向外側延在溝を含み、前記溝は、前記第一壁部から概ね横方向外側に延びる肩壁を画定する、請求項１６に記載の空気ばね組立体。
【請求項２０】
前記コネクタ継手は前記開口内に受け入れられ、前記フランジ部が前記第一端部材の前記第二側に隣接して配置され、前記第一及び第二保持部材上の前記突起は、前記肩壁と動作可能に相互係合する、請求項１９に記載の空気ばね組立体。
【請求項２１】
前記継手本体の第二端部は半径方向外側延在溝を含み、前記封止部材は少なくとも部分的に前記溝内に受け入れられる、請求項１５に記載の空気ばね組立体。
【請求項２２】
前記封止部材は第一封止部材であり、前記継手本体は、前記継手本体を貫いて形成される継手経路を少なくとも部分的に画定する内壁を含み、前記コネクタ継手は、
前記継手経路内に受け入れられ、関連する流体ラインの関連する外面に係合するよう適合された保持カラー；
前記保持カラーに隣接して前記継手経路内に受け入れられ、関連する流体ラインの関連する内面に係合するよう適合された内側支持スリーブ；及び
前記継手経路内に配置されており、前記継手本体と関連する流体ラインの関連する外面の間に圧縮状態で配置された第二封止部材
をさらに含む、請求項１５に記載の空気ばね組立体。